(57)【要約】      （修正有）【課題】航空機内、映画館、病院などの特定の場所で、端末利用者が無線通信機能のオンとオフを任意に且つ簡易に切り替える。【解決手段】通信ネットワークに対して無線通信を行う無線通信部と、入力を受け付ける入力キー１１６とを備え、入力キー１１６が予め設定された時間以上持続して押下された場合に起動され無線通信装置本体に生じた予め設定された振幅以上の振動を検出する振動検出部１１２と、入力キー１１６が継続的に押下された状態で検出された前記振動の回数に基づき無線通信部１０９における無線通信動作の起動および停止を相互に切替える無線動作制御部１１４とを備えた。【選択図】図１
2010124144.tif 000002
【特許請求の範囲】
【請求項１】
通信ネットワークに対して無線通信を行う無線通信部と、入力を受け付ける入力キーとを備えた装置本体部を有する無線通信装置であって、
前記入力キーが予め設定された時間以上持続して押下された場合に起動され前記装置本体部に生じた予め設定された振幅以上の振動を検出する振動検出部と、
前記入力キーが継続的に押下された状態で検出された前記振動の回数に基づき前記無線通信部の動作状態を起動状態および停止状態に相互に切替える無線動作制御部とを備えたことを特徴とする無線通信装置。
【請求項２】
前記請求項１に記載の無線通信装置において、
前記無線動作制御部は、前記検出された振動の回数に基づき前記無線通信部の動作状態が切り替えられるのを抑制する切替抑制設定手段を備えたことを特徴とする無線通信装置。
【請求項３】
前記請求項１に記載の無線通信装置において、
前記振動検出部は、前記無線通信装置本体に生じた加速度を測定する加速度センサであって、当該加速度センサは、予め設定された値以上の加速度が検出された場合に当該加速度を前記振動として検出することを特徴とする無線通信装置。
【請求項４】
前記請求項１に記載の無線通信装置において、
当該無線通信装置は、第１の筐体および第２の筐体を有すると共に各筐体の一端部をヒンジで連結したフリップ部を備え、
前記フリップ部が閉状態または開状態であることを検出する開閉状態検出手段を有し、
前記無線動作制御部は、前記フリップ部が開状態のときに前記入力キーが押下された状態で前記振動が検出された場合に前記無線通信部における無線通信動作の起動および停止を相互に切替える開状態切替機能を備えたことを特徴とする無線通信装置。
【請求項５】
前記請求項４に記載の無線通信装置において、
前記フリップ部が閉状態のときに、前記無線通信部を前記無線通信動作の起動および停止の切替えが抑制された切替抑制モードに設定する切替抑制設定手段を備えたことを特徴とする無線通信装置。
【請求項６】
前記請求項１に記載の無線通信装置であって、
前記無線通信装置の外部に予め設けられた無線通信機器からの無線信号の中継を行う第三者無線通信中継部を備え、
前記無線動作制御部は、前記入力キーが継続的に押下された状態で検出された前記振動の回数に基づき前記第三者無線通信中継部における前記中継動作の起動および停止を相互に切替える無線中継制御機能を備えたことを特徴とする無線通信装置。
【請求項７】
前記請求項６に記載の無線通信装置であって、
前記無線動作制御部は、前記入力キーが継続的に押下された状態で検出された前記振動の回数に基づき前記無線通信部で行われる無線通信と第三者無線通信中継部を介して行われる無線通信とを相互に切替える無線通信切替機能を備えたことを特徴とした無線通信装置。
【請求項８】
前記請求項１乃至７の何れか１つに記載の無線通信装置であって、
前記無線動作制御部は、予め設定された時間、前記入力キーへの入力操作が検出されない場合に、前記無線通信部における無線通信動作の起動を行う通信自動起動手段を備えたことを特徴とした無線通信装置。
【請求項９】
通信ネットワークに対して無線通信を行う無線通信部と、利用者からの入力を受け付ける入力キーを備えた無線通信装置にあって、前記無線通信の制御を行う無線通信方法であって、
前記入力キーが予め設定された時間以上持続して押下された場合に、前記無線通信装置本体に生じた振動の検出を行う振動検出部を起動し、前記入力キーが継続的に押下された状態のときに検出された前記振動の回数をカウントし、前記振動の回数に基づき前記無線通信部における無線通信の動作状態を起動状態および停止状態に相互に切替えることを特徴とする無線通信方法。
【請求項１０】
通信ネットワークに対して無線通信を行う無線通信部と、入力を受け付ける入力キーとを備えた無線通信装置にあって、前記無線通信の制御を行うための無線通信プログラムであって、
前記無線通信装置本体に生じた予め設定された振幅以上の振動を検出する振動検出部を、前記入力キーが予め設定された時間以上持続して押下された場合に起動する処理を行う振動検出起動機能と、
前記入力キーが継続的に押下された状態で検出された前記振動の回数に基づき前記無線通信部における無線通信の動作状態を起動状態および停止状態に相互に切替える処理を行う無線動作制御機能とを、前記無線通信装置の備えたコンピュータに実行させることを特徴とする無線通信プログラム。
【発明の詳細な説明】
【技術分野】
【０００１】
本発明は、通信ネットワークとの間で無線通信を行う無線通信装置に関する。
【背景技術】
【０００２】
携帯電話などの無線通信端末では、音声による通話や電子メールのようなデータ通信が行われる際に、無線通信のための電波が送出される。この送出された電波の影響により周囲の電子機器に誤作動が引き起こされることがあり、このため、離着陸時の航空機内や病院内のように無線通信端末の利用が禁止されている場所がある。
【０００３】
こうした場所では、無線通信端末の動作モードを、無線通信を伴う機能が利用可能な動作モード(以下「オンラインモード」という)から無線通信を伴う機能が利用できない動作モード(以下「オフラインモード」という)に設定することが求められる。
このとき、端末利用者は、無線通信端末の電源を切った状態にしてもよいが、この場合、無線通信端末における時刻表示機能、アラーム機能、メモ機能などの無線通信を伴わない機能も利用できなくなるという不都合が生じ得る。
【０００４】
このため、無線通信端末を利用する場所、場面、環境に応じて、無線通信端末のオンラインモードおよびオフラインモードを切替設定する(動作モード切替設定)には、予め無線通信端末に設定された入力キーを端末利用者が操作することにより、例えばメニュー画面から、オンラインモード、またはオフラインモードを指定する必要があった。
【０００５】
しかしながら、この動作モード切替設定には、無線通信端末におけるメニュー画面の表示やメニュー選択などが必要となり、入力キーに対して端末利用者が行う操作手順が多く、使い辛いという不都合があった。
また、動作モードの切替指定を行うための操作手順が、端末利用者に分かりにくく、このため、無線通信端末に予め設定された機能としてあまり認知されていない。
【０００６】
これに対する関連技術として、携帯端末に内蔵された振動センサにより携帯端末装置本体における振動量を検知して、携帯端末装置が利用者に装着されているか否か、もしくは、利用者により保持されているか否かを検知して、携帯端末装置における無線通信機能のＯＮ／ＯＦＦ制御を行う手法が開示されている(特許文献１)。
【０００７】
また、ＧＰＳなどを利用することにより、携帯端末の利用されている位置、存在位置を検知して、予め指定された場所、位置に携帯端末がある場合に、その位置対応して携帯端末の無線通信機能のＯＮ／ＯＦＦを切替える手法などが考えられる。
【０００８】
【特許文献１】特開２０００−１０１５０８
【発明の開示】
【発明が解決しようとする課題】
【０００９】
しかしながら、上記特許文献１の関連技術では、端末利用者が携帯端末を所持しているか否かに基づき、無線通信機能のオンとオフが自動的に切り替えられるため、例えば、航空機内、映画館、病院などの特定の場所で、端末利用者が無線通信機能のオンとオフを任意に且つ簡易に切り替えることができないという不都合がある。
また、端末利用者が任意に無線通信機能のオン、オフの切替えを行う場合には、携帯端末に予め設定されたメニュー項目から選択切替を行う必要があり、切替え設定を行うのに手間がかかるという不都合があった。
【００１０】
［発明の目的］
本発明は、上記関連技術の有する不都合を改善し、外部通信ネットワークとの間で実行される無線通信の起動および停止を簡易に切替え選択可能な無線通信装置、無線通信切替方法、無線通信切替プログラムを提供することを、その目的とする。
【課題を解決するための手段】
【００１１】
上記目的を達成するために、本発明に係る無線通信装置は、通信ネットワークに対して無線通信を行う無線通信部と、入力を受け付ける入力キーとを備えた無線通信装置であって、前記入力キーが予め設定された時間以上持続して押下された場合に起動され前記装置本体部に生じた予め設定された振幅以上の振動を検出する振動検出部と、前記入力キーが継続的に押下された状態で検出された前記振動の回数に基づき前記無線通信部における無線通信動作を起動状態および停止状態に切替える無線動作制御部とを備えた構成をとっている。
【００１２】
又、本発明にかかる無線通信方法は、通信ネットワークに対して無線通信を行う無線通信部と、利用者からの入力を受け付ける入力キーを備えた装置本体部を有する無線通信装置にあって、前記無線通信の制御を行う無線通信方法であって、前記入力キーが予め設定された時間以上持続して押下された場合に、前記無線通信装置本体に生じた振動の検出を行う振動検出部を起動し、前記入力キーが継続的に押下された状態のときに検出された前記振動の回数をカウントし、前記振動の回数に基づき前記無線通信部における無線通信の動作状態を起動状態および停止状態に切替えることを特徴としている。
【００１３】
更に、本発明にかかる無線通信プログラムは、通信ネットワークに対して無線通信を行う無線通信部と、入力を受け付ける入力キーとを備えた無線通信装置にあって、前記無線通信の制御を行うための無線通信プログラムであって、前記無線通信装置本体に生じた予め設定された振幅以上の振動を検出する振動検出部を、前記入力キーが予め設定された時間以上持続して押下された場合に起動する処理を行う振動検出起動機能と、前記入力キーが継続的に押下された状態で検出された前記振動の回数に基づき前記無線通信部における無線通信の動作状態を起動状態および停止状態に切替える処理を行う無線動作制御機能とを、前記無線通信装置の備えたコンピュータに実行させることを特徴としている。
【発明の効果】
【００１４】
本発明は、以上のように構成され機能するので、これによると、入力キーが予め設定された時間以上持続して押下された場合に起動され、前記無線通信装置本体の振動を検出する振動検出部と、前記入力キーが継続的に押下されているときに検出された前記振動の回数に基づき無線通信動作の起動および停止を相互に切替える無線動作制御部とを備えた構成をとしたことにより、外部通信ネットワークとの間で実行される無線通信の起動および停止を簡易に切替え選択することを可能とする無線通信装置、無線通信方法、無線通信プログラムを提供することができる。
【発明を実施するための最良の形態】
【００１５】
［実施形態１］
次に、本発明の実施形態について、その基本的構成内容を説明する。
【００１６】
本実施形態である携帯電話(無線通信装置)１０は、本体部として正面ＬＣＤ１０５を備えた第１の筐体とキースイッチ１１６を備えた第２の筐体とを有し、両筐体の一端部がヒンジで連結したフリップ部を有する折り畳み型(フリップ型)の携帯電話１０であって、この携帯電話１０の内部には、図１に示すように、補助記憶装置であるフラッシュメモリ１０１と、半導体素子を利用した携帯電話１０の主記憶部であるＲＡＭ(Random Access Memory)１０２と、中央演算処理装置(ＣＰＵ：Central Processing Unit)を含み携帯電話１０内の各処理動作部の動作制御を行う中央制御部１２０を備えている。
【００１７】
また、携帯電話１０は、アンテナ(ＡＮＴ１)１０８を利用して携帯電話１０の外部との無線通信(無線通信機能)を行う無線部１０９と、この無線部１０９の通信動作を制御する無線切り替え制御部１１４と、携帯電話１０本体の動く方向やスピード、傾きなどを示す情報を取得する加速度センサ１１２と、加速度センサ１１２で取得された情報を検知する検出部Ａ１１３を有する。
尚、加速度センサ１１２、検出部１１３Ａ、無線切替制御部１１４、および無線部１０９の動作は上記中央制御部制御部１２０によって制御されるものとする。
【００１８】
更に、携帯電話１０の外面部に設けられ、受信待ち状態を示す待受け画面(１および２)の表示を行う正面ＬＣＤ(Liquid Crystal Display)１０５、携帯電話１０における着信(受信)を示すレシーバ１１５、発話を行うための手段であるマイクロフォン(マイク)１１９、携帯電話利用者(以下「利用者」という)が携帯電話１０に対する入力を行うための入力部であるキースイッチ１１６、利用者に対して音声報知を行うスピーカ１１７、および、利用者に対してバイブレーションによる報知を行う報知用バイブ１１８を備えている。
【００１９】
また、携帯電話１０は、正面ＬＣＤ１０５における画面出力を制御するＬＣＤドライバ１０６と、ＬＥＤ１０４の点灯動作を制御するＬＥＤドライバ１０３と、フリップ部(以下「フリップ」という)の開閉を検知する開閉検出スイッチ１０７を備えた構成となっている。
【００２０】
更に、上記加速度センサ１１２は、例えば、当該加速度センサに併設された重りが変位する量を測り、その加速度を検出するための回路素子を含み、携帯電話１０の傾きや振動を検知する。これにより、加速度センサ１１２は、上下、左右、前後の3軸方向に対する速度の加わり方を測定することができる。このため、携帯電話１０が動く方向やスピード、傾きなどの情報が取得できるものとする。
【００２１】
以下、これを詳説する。
【００２２】
検出部Ａ１１３は、加速度センサ１１２の動作起動用に割当てられた特定のキー(以下「センサ起動キー」という)が押下されたことを検出するセンサ起動検出機能と、センサ起動キーが予め設定された時間(例えば、１秒間)以上押下された場合に、これを長押し状態として検知する長押し検知機能とを備えている。
【００２３】
中央制御部１２０は、センサ起動キーが長押し状態であることが検知された場合に、加速度センサ１１２を起動するセンサ起動機能と、
尚、ここで起動された加速度センサ１１２は、センサ起動キーが長押し状態(押下状態)の場合に起動、動作を行うものとする。
【００２４】
また、カウンタ１０は、起動された加速度センサ１１２で検出された振動の回数をカウントする振動回数カウント機能を備え、検出部Ｂ１１１は、カウンタ１０でカウントされた振動の回数を一時的に記憶する振動回数記憶手段を有する。
ここで、検出部Ｂ１１１で検出された振動の回数が1回である場合、無線切替制御部１１２は、無線部１０９における無線通信の動作状態(ＯＮ／ＯＦＦ)の切替えを行う動作状態切替機能を有する。ここで、無線切替制御部１１２は、無線部１０９の無線通信動作状態がＯＦＦ(休止状態)の場合に、無線通信機能を起動し、また、予め無線部１０９の無線通信機能が起動された(ＯＮの)状態であった場合は、この無線通信機能を休止状態(ＯＦＦ)にする。
【００２５】
無線部１０９は、検出された振動の回数に基づき、無線部１０９のＯＮ状態、およびＯＦＦ状態を相互に切替えることを許容する設定(非保持設定)と、検出された振動によって無線部１０９のＯＮ状態、およびＯＦＦ状態の切替えが行われない設定(状態保持設定)とを備えているものとする。
【００２６】
無線切替制御部１１４は、無線部１０９における無線通信機能の動作状態の切り替えを行う動作状態切替機能を有する。
具体的には、無線部１０９の動作状態が予め稼動状態(ＯＮ)であった場合には、通信休止状態(ＯＦＦ)へと切替えを行い、無線部１０９の通信動作状態が予め通信休止状態(ＯＦＦ)であった場合には、通信稼動状態(ＯＮ)へと動作状態の切替を行う。
【００２７】
尚、携帯電話１０に対して振動を与える手法としては、例えば、携帯電話を特定の方向に傾けたり、一定の速度で携帯電話を振ったりすることにより、傾きセンサ１１２が携帯電話に生じた加速度を検知するものとする。
【００２８】
中央制御部１２０は、通信状態が(稼動状態へと、または休止状態へと)切り替わったことを検知し、ＬＥＤドライバ１０３に通知する(状態切替通知機能)。
また、中央制御部１２０は、携帯電話１０の音声報知(出力)が行われないようにする設定(マナーモード)を検出するモード検出機能を有する。
更に、中央制御部１２０は、携帯電話１０がマナーモードに設定されていない場合に、通信動作状態が切り替わったことを検知し、スピーカー１１７から予め設定された音声を鳴動させる切替報知機能を有する
【００２９】
また、中央制御部１２０は、通信動作状態が(ＯＮからＯＦＦへ、またはＯＦＦからＯＮへ)切り替わった場合に、スピーカー１１７より、予め設定された音声を鳴動させる切替報知機能を備えている。
【００３０】
無線切替制御部１１４は、無線部１０９の無線通信機能の動作状態である通信稼動状態(ＯＮ)と通信休止状態(ＯＦＦ)とが、一方の状態から他方の状態へと切替可能な設定(非保持設定)であるか、切替え不可の設定(保持設定)であるかの判定を行う保持非保持設定判定機能を有する。
【００３１】
また、無線切替制御部１１４は、無線部１０９における保持設定を解除する保持設定解除機能を有する。
無線部１０９における無線通信機能の動作状態(通信稼動状態(ＯＮ)と通信休止状態(ＯＦＦ))が、一方の状態から他方の状態へと切替可能な設定(非保持設定)である場合、無線切替制御部１１２は、この非保持設定を、無線部１０９の動作状態が切替え不可の設定(保持設定)へと変換する。
【００３２】
無線切替制御部１１４は、予め設けられたタイマーを有し、上述の携帯電話１０における、無線部１０９がＯＦＦの状態、または、後述する第三者通信が稼動した状態の経過時間を計測する放置時間機能と、予め設定された自動復帰時間が経過した場合にこれを検知する復帰時間経過判定機能とを備える。
尚、この自動復帰時間の設定時間は、ユーザーにより数秒から数時間までの範囲で任意に設定可能であるものとする。
【００３３】
また、待ち受け画面１の表示状態のまま自動復帰時間が経過した場合、無線切替制御部１１４は、検出部Ａ１１３におけるキー操作、もしくはフリップの開閉動作があったか否かの判定を行う入力検知判定機能と、キー操作、およびフリップの開閉動作があったことが検知された場合に、無線部１０９の無線通信機能をＯＮ状態に設定する無線通信復帰機能とを備えている。
【００３４】
［実施形態１の動作説明］
次に、上記実施形態１の動作について、図２のフローチャートに基づき説明する。
【００３５】
まず、携帯電話１０の電源がＯＦＦ状態であるとする(ステップＡ１：スタート)。携帯電話１０の電源がＯＮにされ、正面ＬＣＤ１０５に待受け画面が表示される(ステップＡ２)。
【００３６】
次に、検出部Ａ１１３が、加速度センサ１１２の起動用に割当てられた特定キー(センサ起動キー)が押下されているか否かの検出を行う(ステップＡ３)。
ここで、センサ起動キーが押下された状態であれば(ＹＥＳ)、ステップＡ４に、押下された状態でなければ(ＮＯ)、ステップＡ２の待受け画面に遷移する。
【００３７】
次いで、検出部Ａ１１３は、センサ起動キーが長押し(1秒以上)されているか否かの判定を行う(ステップＡ４)。ここで、センサ起動キーが１秒以上長押しされている(長押し状態)ことが検知された場合は(ＹＥＳ)、ステップＡ５に、長押しされた状態でなければ(ＮＯ)、ステップＡ２(待受け画面)に遷移する。
【００３８】
次いで、検出部Ａ１１３が中央制御部１２０に対してセンサ起動キーが長押し状態であることを通知し、中央制御部１２０により加速度センサ１１２が起動される(ステップＡ５)。
尚、ここで起動された加速度センサ１１２は、センサ起動キーが長押し状態(押下状態)の場合に起動、動作を行うものとする。このため、センサ起動キーの押下状態が解除された場合は、前動作が破棄されて、ステップＡ２(待受け画面状態)に遷移する。
【００３９】
次いで、検出部Ａ１１３は、起動された加速度センサ１１２を介して、携帯電話１０における振動の検出を行う(ステップＡ６)。
ここで、加速度センサ１１２で、携帯電話１０の振動、およびその加速度が検出された場合(ステップＡ７へ：ＹＥＳ)、検出された振動の回数をカウンタ１０がカウントし、検出された振動の回数を検出部Ｂ１１１が、一時的に記憶する(ステップＡ７)。
一方、ステップＡ６で、一定時間振動が検出されない場合(ＮＯ)はステップＡ５に戻る。
【００４０】
次に、このステップＡ７で、記憶された振動の回数が1回である場合、無線切替制御部１１２は、無線部１０９における無線通信の動作状態(ＯＮ／ＯＦＦ)の切替えを行う(ステップＡ８へ)。つまり、無線部１０９の無線通信動作状態がＯＦＦ(休止状態)の場合は、無線通信機能を起動する。また、予め無線部１０９の無線通信機能が起動された(ＯＮの)状態であった場合は、この無線通信機能を休止状態(ＯＦＦ)にする。
【００４１】
次いで、ステップＡ８について説明する。
ここでは、無線部１０９における無線通信機能の動作状態である、通信稼動状態(ＯＮ)と通信休止状態(ＯＦＦ)とが、一方の状態から他方の状態へと切替可能な設定(非保持設定)であるか、切替不可の設定(保持設定)であるかの判定を行う(ステップＡ８)。
【００４２】
このとき、無線部１０９における無線通信機能の動作状態を維持する設定(保持設定)、つまり、通信稼動状態(ＯＮ／ＯＦＦ)が切替されない設定となっている場合は、ステップＡ５に遷移する。
一方、無線部１０９における無線通信機能の動作状態が維持されない設定(非保持設定)、つまり、通信動作状態(ＯＮまたはＯＦＦ)が切替可能に設定されている場合には、ステップＡ９に遷移する。
【００４３】
ここで、無線切替制御部１１４が、無線部１０９における無線通信機能の動作状態の切り替えを行う(ステップＡ９)。
具体的には、無線部１０９の動作状態が予め稼動状態(ＯＮ)であった場合には、通信休止状態(ＯＦＦ)へと切替えを行い、無線部１０９の通信動作状態が予め通信休止状態(ＯＦＦ)であった場合には、通信稼動状態(ＯＮ)へと動作状態の切替が行われる。
【００４４】
これにより、本実施形態では、ユーザ(使用者)が、例えば、携帯電話１０を振ることにより、携帯電話１０に対して１回の振動を与えられ、無線部１０９の動作状態を稼動状態、または休止状態へと相互に切替えることができる。
このため、携帯電話１０を保持する使用者が、例えば、無線通信に適さない場所にいる場合、加速度センサを起動して、携帯電話１０に対して1回の振動を与えるといった簡易な操作を行うことにより、無線通信機能を通信休止状態に切り替えることができる。
また、携帯電話１０を保持する使用者が、無線通信に適した場所に移動した場合には、加速度センサを起動して携帯電話１０に対して1回の振動を与えるといった簡易な操作を行うことにより、携帯電話１０の無線通信機能を通信稼動状態へと切り替えることができる。
【００４５】
尚、携帯電話１０に対して振動を与える手法としては、例えば、携帯電話を特定の方向に傾けたり、一定の速度で携帯電話を振ったりすることにより、傾きセンサ１１２が携帯電話に生じた加速度を検知するものとする。
【００４６】
次いで、中央制御部１２０が、通信状態が(稼動状態へと、または休止状態へと)切り替わったことを検知し、ＬＥＤドライバ１０３に通知する(状態切替通知機能)。ＬＥＤドライバ１０３は、通信状態の切替わりが生じたことを示す通知ＬＥＤを点滅させる(ステップＡ１４)。
尚、この通知ＬＥＤの点灯動作については、例えば、通信状態がＯＮからＯＦＦに切替えられた場合と、ＯＦＦからＯＮに切替えられた場合それぞれに異なる色や、異なる点滅速度などの点灯方法が割当てられてもよい。この点灯方法は、個別設定が可能であり、ユーザーが任意に変更設定することができるものとする。
【００４７】
次いで、中央制御部１２０は、携帯電話１０で予め設定された音声報知(出力)設定がマナーモードに設定されているか否かを検出し(ステップＡ１５)、マナーモードに設定されている場合は(ＹＥＳ)、ステップＡ１７に遷移し、一方、マナーモードに設定されていなければ(ＮＯ)、ステップＡ１６に遷移する。
【００４８】
中央制御部１２０は、携帯電話１０がマナーモードに設定されていない場合に、通信動作状態が(ＯＮからＯＦＦへ、またはＯＦＦからＯＮへ)切り替わったことを検知し、スピーカー１１７より、予め設定された音声を鳴動させ(ステップＡ１６)、ステップＡ５に遷移する。
一方、携帯電話１０の音声出力設定がマナーモードに設定されている場合は、スピーカ１１７からの音は鳴動させず(ステップＡ１７)、ステップＡ５に遷移する。
【００４９】
ここで、上記ステップＡ７で、検出部Ｂ１１１により検出された振動の回数が２回であった場合(ステップＡ１０へ)について説明する。
ステップＡ１０では、無線部１０９の無線通信機能の動作状態である通信稼動状態(ＯＮ)と通信休止状態(ＯＦＦ)とが、一方の状態から他方の状態へと切替可能な設定(非保持設定)であるか、切替え不可の設定(保持設定)であるかの判定を行う(保持非保持設定判定工程)。
【００５０】
ここで、無線部１０９の動作状態が切替え不可の設定(保持設定)、つまり、通信動作状態(ＯＮ／ＯＦＦ)が切替されない設定(保持設定)となっている場合は、ステップＡ１１に遷移する。
【００５１】
次いで、無線切替制御部１１２が、無線部１０９における保持設定を解除する。これにより、無線部１０９の無線通信機能の動作状態を切り替え可能な非保持設定へと変換する(ステップＡ１１：保持設定を解除)。
ここで、中央制御部１２０が、通信部１０９が非保持設定に変換されたことをＬＥＤドライバ１０３に通知する。この通知を受け、中央制御部１２０は、ＬＥＤドライバ１０３を介してＬＥＤ１０４を点灯(点滅)させる(ステップＡ１３)。
【００５２】
尚、この通知ＬＥＤの点灯、または点滅動作については、個別設定が可能であり、ユーザーが任意に変更することができるものとする。
【００５３】
次いで、中央制御部１２０は、携帯電話１０の音声報知設定がマナーモードに設定されているか否かの検出を行い(ステップＡ１４)、マナーモードに設定されている場合はステップＡ２１に遷移する。
中央制御部１２０は、携帯電話１０の音声出力設定がマナーモードに設定されている場合は、スピーカ１１７で音は鳴動させず(ステップＡ１６)、その後、ステップＡ５に遷移する。
【００５４】
また、ステップＡ２２で携帯電話１０の音声出力設定がマナーモードに設定されていない場合は、スピーカー１１７が予め設定された音声を鳴動させ(ステップＡ１５)、その後、ステップＡ５に遷移する。
【００５５】
一方、ステップＡ１０で、無線部１０９における無線通信機能の動作状態(通信稼動状態：ＯＮと通信休止状態：ＯＦＦ)が、一方の状態から他方の状態へと切替可能な設定(非保持設定)である場合、無線切替制御部１１２は、この非保持設定を、無線部１０９の動作状態が切替え不可の設定(保持設定)へと変換する(ステップＡ１２：保持設定にする)。
【００５６】
これにより、本実施形態では、ユーザ(使用者)が、携帯電話１０に対して２回の振動を与えることにより、無線部１０９が、使用者からの要求(１回の振動)に応じて、無線部１０９の無線通信機能の動作状態切替えを行うか否かを指定することができる。
このため、携帯電話１０を保持する使用者が、例えば、無線通信に適さない場所にいる場合に、無線部１０９の無線通信機能の動作状態切替が行われない設定(保持設定)としておくことにより、誤って携帯電話１０に対して1回の振動を与えられた場合でも、無線通信機能を通信休止状態にしておくことができる。
【００５７】
次いで、中央制御部１２０が、通信部１０９が保持設定に変換されたことを検知しＬＥＤドライバ１０３に通知する。ＬＥＤドライバ１０３は、通知された保持設定に対応して設定された通知ＬＥＤを点滅させる(ステップＡ１３)。
尚、この通知ＬＥＤの点灯方法(色、タイミングなど)については、個別設定が可能であり、ユーザーが任意に変更することができるものとする。
【００５８】
次いで、中央制御部１２０は、携帯電話１０の音声報知設定がマナーモードに設定されているか否かを検出し(ステップＡ１４)、マナーモードに設定されている場合はステップＡ１７に遷移する。
【００５９】
中央制御部１２０は、通信動作状態が(ＯＮからＯＦＦへ、またはＯＦＦからＯＮへ)切り替わった場合に、スピーカー１１７より、予め設定された音声を鳴動させ(ステップＡ１５)、ステップＡ５に遷移する。
【００６０】
一方、ステップＡ１５で、携帯電話１０の音声出力設定がマナーモードに設定されている場合は、スピーカ１１７で音は鳴動させず(ステップＡ１６)、ステップＡ５に遷移する。
【００６１】
以上のように、本実施形態１では、携帯電話１０の無線通信機能のＯＮ，ＯＦＦ切替えを少ない操作手数で容易に行うことが可能となる。
また、携帯電話１０の無線通信機能を使用する環境、状況に応じて、ユーザが任意に無線通信機能のＯＮ，ＯＦＦ切替えを指定することができる。
更に、無線通信の稼動状態を簡易に切替えることにより、携帯電話１０における消費電力を軽減することができ、携帯電話の利用可能時間を有効に向上させることができる。
【００６２】
さて、上述の携帯電話１０の無線部１０９がＯＦＦ状態で、または、後述する第三者通信状態で、例えば、携帯電話１０が放置されてしまった場合、携帯電話１０における通信、音声の着信やメール受信が行われなくなってしまう。
このような場合に、携帯電話１０の無線部１０９をＯＮ状態に復帰させるための手法、および動作について、図９のフローチャートに基づき説明する。
【００６３】
まず、携帯電話１０の正面ＬＣＤは、待受け画面以外の操作画面が表示された状態であるとする(スタート：ステップＥ１)。このとき、正面ＬＣＤには、待受け画面1が表示されている状態である(ステップＥ２)。尚、待ち受け画面１は、無線部のＯＦＦ状態、もしくは第三者通信稼動状態を示すものとする。
【００６４】
次いで、無線切替制御部１１４に予め設けられたタイマーが起動されると共に、時間の計測が行われる。ここで、無線切替制御部１１４は、当該無線切替制御部１１４に予め記憶された自動復帰時間が経過したか否かの判定を行う(ステップＥ３：復帰時間経過判定機能)。
尚、この自動復帰時間の設定時間は、ユーザーにより数秒から数時間までの範囲で任意に設定可能であるものとする。
次いで、待ち受け画面１の表示状態のまま自動復帰時間が経過した場合(ステップＥ４へ)、無線切替制御部１１４は、検出部Ａ１１３におけるキー操作、もしくはフリップの開閉動作があったか否かの判定を行う。ここで、キー操作が有ったこと、若しくは、フリップの開閉動作があったことが検知された場合、ステップＥ５に遷移する。
【００６５】
一方、キー操作、もしくはフリップの開閉操作が検出されない場合、無線切替制御部１１４は、無線部１０９が保持設定に設定されていた場合であっても、無線部１０９をＯＮ状態に設定する(ステップＥ５)。
次いで、無線切替制御部１１４は、中央制御部１２０に無線部１０９がオン状態となったことを通知し、中央制御部１２０は、無線部１０９が無線部ＯＮ状態になったことを示す待受け画面２を正面ＬＣＤ１０５に表示させる(ステップＥ６)。
【００６６】
これにより、携帯電話１０における無線部１０９がオフ状態で放置された場合、または、携帯電話１０が後述する第三者通信が稼動した状態で放置された場合に、一定時間経過後に携帯電話１０における着信やメール受信が可能な状態へと、自動的に復帰させることができる。
【００６７】
［実施形態２］
次に、本発明における実施形態２について、説明する。
実施形態２の携帯電話１０は、前述した実施形態(図１)とほぼ同一の構成を備えており、図３に示すように、中央制御部１２０が、携帯電話１０のフリップにおける開閉動作が生じたことを無線切替制御部１１４に通知する開閉動作検出通知機能を新たに有すると共に、実施形態１におけるカウンタ１１０、および検出部Ｂ１１１が実装されない構成とした点が、上記実施形態１と相違する。
尚、前述した実施形態１と同一の部分については、同一の符号を付するものとする。また、その他の構成の機能動作については実施形態１と同様であるものとする。
【００６８】
［実施形態２の動作説明］
次に、上記実施形態１の動作について、図４のフローチャートに基づき説明する。
【００６９】
まず、携帯電話１０の電源がＯＦＦ状態であるものとする(ステップＢ１)。携帯電話１０の電源がＯＮにされ(ステップＢ２)、正面ＬＣＤ１０５に待受け画面が表示される。
ここでは、待受け画面１が表示されるものとする。
【００７０】
次に、検出部Ａ１１３が、加速度センサ１１２の起動用に割当てられたセンサ起動キーの押下状態の検出を行う(ステップＢ３)。
ここで、センサ起動キーが押下された状態であればステップＢ４に、押下された状態でなければステップＢ２に遷移する。
【００７１】
次いで、検出部Ａ１１３は、センサ起動キーが長押し(ここでは、1秒以上とする)されているか否かの判定を行う(ステップＢ４)。ここで、センサ起動キーが１秒以上長押しされていることが検知された場合はステップＢ５に、長押しされた状態でなければステップＢ２に遷移する。
【００７２】
次いで、検出部Ａ１１３が中央制御部１２０に対してセンサ起動キーが長押し状態であることを通知し、中央制御部１２０により加速度センサ１１２が起動される(ステップＢ５)。
尚、ここで起動された加速度センサ１１２は、センサ起動キーが長押し状態(押下状態)の場合に起動、動作を行うものとする。このため、センサ起動キーの押下状態が解除された場合は、前動作が破棄されて、ステップＢ２に遷移する。
【００７３】
次いで、検出部Ａ１１３は、起動された加速度センサ１１２を介して、携帯電話１０における振動(加速度)の検出を行う(ステップＢ６)。
ここで、加速度センサ１１２で、携帯電話１０の振動、および、その加速度が検出された場合(ＹＥＳ：ステップＢ７へ)、検出部Ａ１１３は、開閉検出スイッチ１０７を介して、携帯電話１０におけるフリップの開閉状態を調べる(ステップＢ７)。
【００７４】
ここで、フリップが開状態である場合に、無線部１０９の無線通信機能の動作状態である通信稼動状態(ＯＮ)と通信休止状態(ＯＦＦ)とが、一方の状態から他方の状態へと切替可能な設定(非保持設定)であるか、切替え不可の設定(保持設定)であるかの判定を行う(ステップＢ８：保持非保持設定判定工程)
【００７５】
ここで、無線部１０９における無線通信機能の動作状態を維持する設定(保持設定)、つまり、通信稼動状態(ＯＮ／ＯＦＦ)が切替されない設定となっている場合は、ステップＢ５に遷移する。
一方、ステップＢ８で、無線部１０９における無線通信機能の動作状態が維持されない設定(非保持設定)、つまり、通信動作状態(ＯＮまたはＯＦＦ)が切替可能に設定されている場合には、ステップＢ９に遷移する。
【００７６】
次いで、無線切替制御部１１４が、無線部１０９における無線通信機能の動作状態(ＯＮ／ＯＦＦ)の切り替えを行う(ステップＢ９)。
具体的には、無線部１０９の動作状態が予め稼動状態(ＯＮ：オン状態)であった場合には、通信休止状態(ＯＦＦ：オフ状態)へと切替えを行い、無線部１０９の通信動作状態が予め通信休止状態(ＯＦＦ：オフ状態)であった場合には、通信稼動状態(ＯＮ：オン状態)へと動作状態の切替が行われる。
【００７７】
これにより、本実施形態２では、フリップの開閉状態の検知結果と加速度センサ１１２による振動の検知結果とを組み合わせることにより、無線通信機能を通信稼動状態に切り替えることができる。
【００７８】
尚、携帯電話１０に対して与えられる振動(加速度)としては、例えば、利用者が携帯電話１０を特定の方向に傾けたり、一定の速度で携帯電話を振ったりすることにより、携帯電話１０に生じる振動、傾き、加速度を示す。
【００７９】
次いで、中央制御部１２０が、通信状態が(稼動状態へと、または休止状態へと)切り替わったことを検知し、ＬＥＤドライバ１０３に通知する(状態切替通知機能)。ＬＥＤドライバ１０３は、通信状態の切替わりが生じたことを示す通知ＬＥＤを点灯させる(ステップＢ１３)。
尚、この通知ＬＥＤの点灯動作については、例えば、通信状態がＯＮからＯＦＦに切替えられた場合と、ＯＦＦからＯＮに切替えられた場合それぞれに異なる色や、異なる点滅速度などの点灯方法が割当てられてもよい。この点灯方法は、個別設定が可能であり、ユーザーが任意に変更設定することができるものとする。
【００８０】
これにより、本実施形態２では、ユーザ(使用者)が携帯電話１０のフリップ部分を開いた状態で、携帯電話１０に対して振動を与えることにより、無線部１０９の無線通信の動作状態を稼動状態へ、または休止状態へと相互に切替えることができる。
このため、携帯電話１０を保持する使用者が、例えば、無線通信に適さない場所にいる場合、加速度センサを起動して、フリップの開かれた携帯電話１０に対して振動を与えるという簡易な操作を行うことにより、無線通信機能を通信休止状態に切り替えることができる。
また、携帯電話１０を保持する使用者が、無線通信に適した場所に移動した場合には、加速度センサを起動して、フリップの開かれた携帯電話１０に対して振動を与えるという簡易な操作により、携帯電話１０の無線通信機能を稼動状態に切り替えることができる。
【００８１】
次いで、中央制御部１２０は、携帯電話１０で予め設定された音声報知(出力)設定がマナーモードに設定されているか否かを検出し(ステップＢ１４)、マナーモードに設定されている場合はステップＢ１８に遷移し、一方、マナーモードに設定されていなければ、ステップＢ１５に遷移する。
【００８２】
中央制御部１２０は、携帯電話１０がマナーモードに設定されていない場合に、通信動作状態が(ＯＮからＯＦＦへ、またはＯＦＦからＯＮへ)切り替わったことを検知し、スピーカー１１７より、予め設定された音声を鳴動させ(ステップＢ１５)、ステップＢ５に遷移する。
一方、携帯電話１０の音声出力設定がマナーモードに設定されている場合は、スピーカ１１７からの音は鳴動させず(ステップＢ１６)、ステップＢ５に遷移する。
【００８３】
一方、上記ステップＢ７で、携帯電話１０のフリップ部分が閉じた状態であった場合、ステップＢ８と同様に、無線部１０９における無線通信機能の動作状態である通信稼動状態(ＯＮ)と通信休止状態(ＯＦＦ)とが、一方の状態から他方の状態へと切替可能な設定(非保持設定)であるか、切替え不可の設定(保持設定)の判定を行う(ステップＢ１０)。
【００８４】
ここで、無線部１０９の動作状態が切替え不可の設定(保持設定)、つまり、通信動作状態(ＯＮ／ＯＦＦ)が切替されない設定となっている場合は、ステップＢ１１に遷移する。
【００８５】
このとき、無線切替制御部１１２は、無線部１０９における保持設定を解除すると共に、無線通信機能の動作状態を切り替え可能な非保持設定へと変換する(ステップＢ１１)。
ここで、中央制御部１２０が、通信部１０９が非保持設定へと設定変換されたことをＬＥＤドライバ１０３に通知する。この通知を受け、中央制御部１２０は、ＬＥＤドライバ１０３を介してＬＥＤ１０４を点灯させる(ステップＢ１３へ)。
【００８６】
一方、ステップＢ１０において、無線部１０９における無線通信機能の動作状態である、通信稼動状態(ＯＮ)と通信休止状態(ＯＦＦ)とが、一方の状態から他方の状態へと切替可能な設定(非保持設定)である場合、無線切替制御部１１２は、この非保持設定を、無線部１０９の動作状態が切替え不可の設定(保持設定)へと変換する(ステップＢ１２)。
ここで、中央制御部１２０が、通信部１０９が非保持設定から保持設定へと設定変換されたことをＬＥＤドライバ１０３に通知する。この通知を受け、中央制御部１２０は、ＬＥＤドライバ１０３を介してＬＥＤ１０４を点灯させる(ステップＢ１３へ)。
【００８７】
以上のように、本実施形態２では、例えば、携帯電話１０のフリップ(開閉部分)を閉じた状態で、携帯電話１０に対して振動を与えることにより、無線部１０９を保持設定に設定することができる。
これにより、携帯電話１０に与えられた振動により、誤って無線通信機能のＯＮ／ＯＦＦが切替えられることを抑制することができる。
また、携帯電話１０のフリップ(開閉部分)を開いた状態で、携帯電話１０に対して振動を与えることにより、無線部１０９を非保持設定に設定することができる。
これにより、例えば、無線通信を行うのに適した環境で、ユーザは任意に携帯電話の無線通信状態(ＯＮ／ＯＦＦ)の切替を、非常に簡易な手順で行うことができる。
【００８８】
［実施形態３］
次に、本発明における実施形態２について、説明する。
実施形態３の携帯電話１０は、前述した実施形態(図１)とほぼ同一の構成を備えており、図５に示すように、無線切替制御部１１４に接続され、後述する第三者電子機器との無線通信を行い無線信号の中継を行う第三者システム用無線回路１２１と、この第三者システム用無線回路１２１に併設されたアンテナ１２２を新たに備えた構成とした点が上記実施形態１と相違する。上記第三者電子機器は、例えば、携帯電話、コードレス電話、ＰＤＡなどの携帯電話１０と無線で通信するように構成された従来の電子機器である。
尚、第三者システム用無線回路１２１が、第三者電子機器との間で行う無線通信(以下「第三者無線通信」という)は、無線部１０９がアンテナ１０８を介して実行する無線通信とは異なる無線通信であるものとする。
【００８９】
これにより、例えば、携帯電話１０が、第三者無線通信のための無線リピータとして機能することのより、第三者電子機器は、携帯電話１０を介して間接的に携帯電話１０の無線通信網に無線通信接続することが可能となる。
尚、前述した実施形態１と同一の部分については、同一の符号を付するものとする。また、その他の構成の機能動作については実施形態１と同様であるものとする。
【００９０】
［実施形態３の動作説明］
次に、上記実施形態３の動作について、図６のフローチャートに基づき説明する。
まず、携帯電話１０の電源がＯＦＦ状態であるとする(ステップＣ１)。携帯電話１０の電源がＯＮにされ(ステップＣ２)、正面ＬＣＤ１０５に待受け画面が表示される。
【００９１】
次に、検出部Ａ１１３が、加速度センサ１１２の起動用に割当てられた特定のキー(センサ起動キー)が押下されているか否かの検出を行う(ステップＣ３)。
ここで、センサ起動キーが押下された状態であればステップＣ４に、押下された状態でなければステップＣ２の待受け画面に遷移する。
【００９２】
次いで、検出部Ａ１１３は、センサ起動キーが長押し(1秒以上)されているか否かの判定を行う(ステップＣ４)。ここで、センサ起動キーが１秒以上長押しされていることが検知された場合はステップＣ５に、長押しされた状態でなければステップＣ２(待受け画面)に遷移する。
【００９３】
次いで、検出部Ａ１１３が中央制御部１２０に対してセンサ起動キーが長押し状態であることを通知し、中央制御部１２０により加速度センサ１１２が起動される(ステップＣ５)。
尚、ここで起動された加速度センサ１１２は、センサ起動キーが長押し状態(押下状態)の場合に起動、動作を行うものとする。このため、センサ起動キーの押下状態が解除された場合は、前動作が破棄されて、ステップＣ２(待受け画面状態)に遷移する。
【００９４】
次いで、検出部Ａ１１３は、起動された加速度センサ１１２を介して、携帯電話１０における振動の検出を行う(ステップＣ６)。
ここで、加速度センサ１１２で、携帯電話１０の振動、およびその加速度が検出された場合(ステップＣ７へ)、検出された振動の回数をカウンタ１０がカウントし、検出された振動の回数を検出部Ｂ１１１が、一時的に記憶する(ステップＣ７)。
一方、ステップＣ６で、一定時間(例えば３０秒)振動が検出されない場合はステップＣ５に戻る。
【００９５】
ここで、ステップＣ７で検出された振動の回数が1回である場合、無線切替制御部１１２は、無線部１０９における無線通信の動作状態(ＯＮ／ＯＦＦ)の切替えを行う(１回：ステップＣ８へ)。つまり、無線部１０９の無線通信動作状態がＯＦＦ(休止状態)の場合は、無線通信機能を起動する。また、予め無線部１０９の無線通信機能が起動された(ＯＮの)状態であった場合は、この無線通信機能を休止状態(ＯＦＦ)にする。
【００９６】
ここで、ステップＣ８について説明する。
ここでは、無線部１０９における無線通信機能の動作状態である、通信稼動状態(ＯＮ)と通信休止状態(ＯＦＦ)とが、一方の状態から他方の状態へと切替可能な設定(非保持設定)であるか、切替不可の設定(状態保持設定)であるかの判定を行う(ステップＣ８)。
【００９７】
このとき、無線部１０９における無線通信機能の動作状態を維持する設定(保持設定)、つまり、通信稼動状態(ＯＮ／ＯＦＦ)が切替されない設定となっている場合は、ステップＣ５に遷移する。
一方、無線部１０９における無線通信機能の動作状態が維持されない設定(非保持設定)、つまり、通信動作状態(ＯＮまたはＯＦＦ)が切替可能に設定されている場合には、ステップＣ９に遷移する。
【００９８】
次に、ステップＣ９について、説明する。
無線切替制御部１１４は、無線部１０９の通信状態の検出を行い、無線部１０９が稼動状態(ＯＮ)であればステップＣ１０へ、無線部１０９が休止状態(ＯＦＦ)であればステップＣ１１へ、第３者システム用無線回路１２１が稼動状態であればステップＣ１２へと、それぞれ遷移する。
【００９９】
ここで、無線切替制御部１１４は、無線部１０９の動作状態が稼動状態(ＯＮ)である場合は、無線部１０９を休止状態(ＯＦＦ)に切替える(ステップＣ１０)。
また、無線切替制御部１１４は、無線部１０９の動作状態が休止状態(ＯＦＦ)であれば稼動状態(ＯＮ)に切替える(ステップＣ１１)。
また、無線切替制御部１１４は、第３者システム用無線回路１２１が稼動状態で場合に無線部１０９を稼動状態(ＯＮ)に切替えると共に、第三者システム用無線回路１２１を休止状態(ＯＦＦ)に切替える(ステップＣ１２)。
【０１００】
次いで、中央制御部１２０が、通信部１０９、および第三者システム用無線回路の通信状態がそれぞれ(稼動状態へと、または休止状態へと)切り替わったことを検知し、ＬＥＤドライバ１０３に通知する(状態切替通知機能)。ＬＥＤドライバ１０３は、通信状態の切替わりが生じたことを示す通知ＬＥＤを点滅させる(ステップＣ１６)。
【０１０１】
次いで、中央制御部１２０は、携帯電話１０で予め設定された音声報知(出力)設定がマナーモードに設定されているか否かを検出し(ステップＣ１７)、マナーモードに設定されている場合はステップＡ１８に遷移し、一方、マナーモードに設定されていなければ、ステップＣ１８に遷移する。
【０１０２】
中央制御部１２０は、携帯電話１０がマナーモードに設定されていない場合(ＮＯ)に、通信動作状態が(ＯＮからＯＦＦへ、またはＯＦＦからＯＮへ)切り替わったことを検知し、スピーカー１１７より、予め設定された音声を鳴動させ(ステップＣ１８)、ステップＡ５に遷移する。
一方、携帯電話１０の音声出力設定がマナーモードに設定されている場合(ＹＥＳ)は、スピーカ１１７からの音は鳴動させず(ステップＣ１９)、ステップＣ５に遷移する。
【０１０３】
ここで、上記ステップＣ７で、検出部Ｂ１１１により検出された振動の回数が２回であった場合(ステップＣ１３へ)について説明する。
ステップＣ１３では、無線部１０９の無線通信機能の動作状態である通信稼動状態(ＯＮ)と通信休止状態(ＯＦＦ)とが、一方の状態から他方の状態へと切替可能な設定(非保持設定)であるか、切替え不可の設定(保持設定)であるかの判定を行う(保持非保持設定判定工程)。
【０１０４】
ここで、無線部１０９の動作状態が切替え不可の設定(保持設定)、つまり、通信動作状態(ＯＮ／ＯＦＦ)が切替されない設定となっている場合は、ステップＣ１４に遷移する。
【０１０５】
次いで、無線切替制御部１１２が、無線部１０９における保持設定を解除する。これにより、無線部１０９の無線通信機能の動作状態を切り替え可能な非保持設定へと変換する(ステップＣ１４)。
ここで、中央制御部１２０が、通信部１０９が非保持設定に変換されたことをＬＥＤドライバ１０３に通知する。この通知を受け、中央制御部１２０は、ＬＥＤドライバ１０３を介してＬＥＤ１０４を点灯(点滅)させる(ステップＣ１６)。
【０１０６】
尚、この通知ＬＥＤの点灯、または点滅動作については、個別設定が可能であり、ユーザーが任意に変更することができるものとする。
【０１０７】
次いで、中央制御部１２０は、携帯電話１０の音声報知設定がマナーモードに設定されているか否かの検出を行い(ステップＣ１７)、マナーモードに設定されている場合はステップＣ１９に遷移する。
中央制御部１２０は、携帯電話１０の音声出力設定がマナーモードに設定されている場合は、スピーカ１１７で音は鳴動させず(ステップＣ１９)、その後、ステップＣ５に遷移する。
【０１０８】
また、ステップＣ１７で携帯電話１０の音声出力設定がマナーモードに設定されていない場合(ＮＯ)は、スピーカー１１７が予め設定された音声を鳴動させ(ステップＣ１８)、その後、ステップＣ５に遷移する。
【０１０９】
一方、ステップＣ１３において、無線部１０９における無線通信機能の動作状態(通信稼動状態(ＯＮ)と通信休止状態(ＯＦＦ))が、一方の状態から他方の状態へと切替可能な設定(非保持設定)である場合、無線切替制御部１１２は、この非保持設定を、無線部１０９の動作状態が切替え不可の設定(保持設定)へと変換する(ステップＣ１５)。
【０１１０】
これにより、本実施形態では、ユーザ(使用者)が、携帯電話１０に対して２回の振動を与えることにより、無線部１０９が、使用者からの要求(１回の振動)に応じて、無線部１０９の無線通信機能の動作状態切替えを行うか否かを指定することができる。
このため、携帯電話１０を保持する使用者が、例えば、無線通信に適さない場所にいる場合に、無線部１０９の無線通信機能の動作状態切替が行われない設定(保持設定)としておくことにより、誤って携帯電話１０に対して1回の振動を与えられた場合でも、無線通信機能を通信休止状態にしておくことができる。
【０１１１】
次いで、中央制御部１２０が、通信部１０９が保持設定に変換されたことを検知しＬＥＤドライバ１０３に通知する。ＬＥＤドライバ１０３は、通知された保持設定に対応して設定された通知ＬＥＤを点滅させる(ステップＣ１６)。
尚、この通知ＬＥＤの点灯方法(色、タイミングなど)については、個別設定が可能であり、ユーザーが任意に変更することができるものとする。
【０１１２】
次いで、中央制御部１２０は、携帯電話１０の音声報知設定がマナーモードに設定されているか否かを検出し(ステップＣ１７)、マナーモードに設定されている場合はステップＣ２０に遷移する。
【０１１３】
中央制御部１２０は、通信動作状態が(ＯＮからＯＦＦへ、またはＯＦＦからＯＮへ)切り替わった場合に、スピーカ１１７より、予め設定された音声を鳴動させ(ステップＣ１８)、ステップＣ５に遷移する。
【０１１４】
一方、ステップＡ１６で、携帯電話１０の音声出力設定がマナーモードに設定されている場合は、スピーカ１１７で音は鳴動させず(ステップＣ１９)、ステップＣ５に遷移する。
【０１１５】
以上のように、本実施形態では、ユーザ(使用者)が、例えば、携帯電話１０を振ることにより、携帯電話１０に対して１回の振動を与えることにより、携帯電話１０の無線通信状態である稼動状態(ＯＮ)、休止状態(ＯＦＦ)、および第三者無線通信の稼動状態を相互に切替えることができる。
このため、例えば、携帯電話１０を保有する使用者が、無線通信に適さない場所にいる場合、携帯電話１０に1回の振動を与えるといった簡易な操作を行うことにより、無線通信機能を通信休止状態に切り替えることができる。
また、携帯電話１０を保有する使用者が、無線通信に適した場所に移動した場合には、加速度センサを起動した状態で携帯電話１０に対して1回の振動を与える、といった簡易な操作を行うことにより、携帯電話１０の無線通信機能をＯＮ状態へ、若しくは第三者無線通信の起動状態へと切り替えることができる。
【０１１６】
尚、携帯電話１０に対して振動を与える手法としては、例えば、携帯電話を特定の方向に傾けたり、一定の速度で携帯電話を振ったりすることにより、傾きセンサ１１２が携帯電話に生じた加速度を検知するものとする。
［実施形態４］
次に、本発明の実施形態４について、説明する。
実施形態４の携帯電話１０は、前述した実施形態２(図３)とほぼ同一の構成を備えており、図７に示すように、無線切替制御部１１４に接続され、後述する第三者電子機器との無線通信を行い、無線信号の中継を行う第三者システム用無線回路１２１と、この第三者システム用無線回路１２１に併設されたアンテナ１２２を新たに備えた構成とした点が上記実施形態１と相違する。
【０１１７】
上記第三者電子機器は、例えば、携帯電話、コードレス電話、ＰＤＡなどの携帯電話１０と無線で通信するように構成された従来の電子機器である。
尚、第三者システム用無線回路１２１が、第三者電子機器との間で行う無線通信(以下「第三者無線通信」という)は、無線部１０９がアンテナ１０８を介して実行する無線通信とは異なる無線通信であるものとする。
【０１１８】
これにより、例えば、携帯電話１０が、第三者無線通信のための無線リピータとして機能することのより、第三者電子機器は、携帯電話１０を介して間接的に携帯電話１０の無線通信網に無線通信接続することが可能となる。
尚、前述した実施形態２と同一の部分については、同一の符号を付するものとする。また、その他の構成の機能動作については実施形態２と同様であるものとする。
【０１１９】
［実施形態４の動作説明］
次に、上記実施形態４の動作について、図８のフローチャートに基づき説明する。
【０１２０】
まず、携帯電話１０の電源がＯＦＦ状態であるとする(ステップＤ１)。携帯電話１０の電源がＯＮにされ(ステップＤ２)、正面ＬＣＤ１０５に待受け画面が表示される。
【０１２１】
次に、検出部Ａ１１３が、加速度センサ１１２の起動用に割当てられた特定のキー(センサ起動キー)が押下されているか否かの検出を行う(ステップＤ３)。
ここで、センサ起動キーが押下された状態であればステップＤ４に、押下された状態でなければステップＤ２の待受け画面に遷移する。
【０１２２】
次いで、検出部Ａ１１３は、センサ起動キーが長押し(例えば、1秒以上)されているか否かの判定を行う(ステップＤ４)。ここで、センサ起動キーが１秒以上長押しされていることが検知された場合はステップＤ５に、長押しされた状態でなければステップＤ２(待受け画面)に遷移する。
【０１２３】
次いで、上記長押し操作により、加速度センサ１１２が起動される(ステップＤ５)。
尚、この加速度センサ１１２は、センサ起動キーが長押しされている状態が維持されていなければ起動、および動作しない。このため、センサ起動キーの押下状態が解除された(センサ起動キーが離された)場合は、前動作が破棄されて、ステップＤ２(待受け画面)に遷移する。
【０１２４】
次いで、検出部Ａ１１３は、加速度センサ１１２を介して、携帯電話１０における振動の検出を行う(ステップＤ６)。
ここで、携帯電話１０のフリップの開閉状態を開閉検出スイッチ１０７が検知しフリップが開状態か、閉状態かの判定を行う(ステップＤ７)。
フリップが開状態である場合には、無線切替制御部１１２は、無線部１０９における無線通信の動作状態(ＯＮ／ＯＦＦ)の切替えを行う(開状態：ステップＤ８へ)。
【０１２５】
次に、ステップＤ８について説明する。
ここでは、無線部１０９における無線通信機能の動作状態である、通信稼動状態(ＯＮ)と通信休止状態(ＯＦＦ)とが、一方の状態から他方の状態へと切替可能な設定(非保持設定)であるか、切替不可の設定(状態保持設定)の判定を行う(ステップＤ８)。
【０１２６】
ここで、無線部１０９における無線通信機能の動作状態を維持する設定(保持設定)、つまり、通信稼動状態(ＯＮ／ＯＦＦ)が切替されない設定となっている場合は、ステップＤ５に遷移する。
一方、無線部１０９における無線通信機能の動作状態が維持されない設定(非保持設定)、つまり、通信動作状態(ＯＮまたはＯＦＦ)が切替可能に設定されている場合には、ステップＤ９に遷移する。
【０１２７】
ここで、ステップＤ９について、説明する。
無線切替制御部１１４は、無線部１０９の通信状態の検出を行い、無線部１０９が稼動状態(ＯＮ)であればステップＤ１０へ、無線部１０９が休止状態(ＯＦＦ)であればステップＤ１１へ、第３者システム用無線回路１２１が稼動状態であればステップＤ１２へと、それぞれ遷移する。
【０１２８】
ここで、無線切替制御部１１４は、無線部１０９の動作状態が稼動状態(ＯＮ)である場合は、無線部１０９を休止状態(ＯＦＦ)に切替える(ステップＤ１０)。
また、無線切替制御部１１４は、無線部１０９の動作状態が休止状態(ＯＦＦ)であれば稼動状態(ＯＮ)に切替える(ステップＤ１１)。
また、無線切替制御部１１４は、第３者システム用無線回路１２１が稼動状態で場合に無線部１０９を稼動状態(ＯＮ)に切替えると共に、第三者システム用無線回路１２１を休止状態(ＯＦＦ)に切替える(ステップＤ１２)。
【０１２９】
次いで、中央制御部１２０が、通信部１０９、および第三者システム用無線回路の通信状態がそれぞれ(稼動状態へと、または休止状態へと)切り替わったことを検知し、ＬＥＤドライバ１０３に通知する(状態切替通知機能)。ＬＥＤドライバ１０３は、通信状態の切替わりが生じたことを示す通知ＬＥＤを点滅させる(ステップＤ１３)。
尚、この通知ＬＥＤの点灯動作については、例えば、通信状態がＯＮからＯＦＦに切替えられた場合と、ＯＦＦからＯＮに切替えられた場合それぞれに異なる色や、異なる点滅速度などの点灯方法が割当てられてもよい。この点灯方法は、個別設定が可能であり、ユーザーが任意に変更設定することができるものとする。
【０１３０】
これにより、本実施形態４では、ユーザ(使用者)が携帯電話１０のフリップ部分を開いた状態で、携帯電話１０に対して振動を与えることにより、無線部１０９の無線通信の動作状態を稼動状態(ＯＮ)、休止状態(ＯＦＦ)、または第三者通信へと相互に切替えることができる。
このため、例えば、携帯電話１０を保持する使用者が、例えば、無線通信に適さない場所にいる場合、加速度センサを起動して、フリップの開かれた携帯電話１０に対して振動を与えるという簡易な操作を行うことにより、無線通信を休止状態に切り替えることができる。
また、携帯電話１０を保有する使用者が、無線通信に適した場所に移動した場合には、フリップの開かれた携帯電話１０に対して振動を与えるという簡易な操作により、携帯電話１０の無線通信機能を稼動状態に切り替えることができる。
【０１３１】
次いで、中央制御部１２０は、携帯電話１０で予め設定された音声報知(出力)設定がマナーモードに設定されている(マナーモード設定)か否かを検出し(ステップＤ１７)、マナーモードに設定されている場合はステップＤ１９に遷移し、一方、マナーモードに設定されていなければ、ステップＤ１８に遷移する。
【０１３２】
中央制御部１２０は、携帯電話１０がマナーモードに設定されていない場合に、通信動作状態が(ＯＮからＯＦＦへ、またはＯＦＦからＯＮへ)切り替わったことを検知し、スピーカー１１７より、予め設定された音声を鳴動させ(ステップＤ１８)、ステップＤ５に遷移する。
一方、携帯電話１０の音声出力設定がマナーモードに設定されている場合は、スピーカ１１７からの音は鳴動させず(ステップＤ１９)、ステップＤ５に遷移する。
【０１３３】
一方、上記ステップＤ７で、携帯電話１０のフリップが閉状態であった場合、ステップＤ８と同様に、無線部１０９における無線通信機能の動作状態である通信稼動状態(ＯＮ)と通信休止状態(ＯＦＦ)とが、一方の状態から他方の状態へと切替可能な設定(非保持設定)であるか、切替え不可の設定(保持設定)であるか、の判定を行う(ステップＤ１３)。
【０１３４】
ここで、無線部１０９の動作状態が切替え不可の設定(保持設定)、つまり、通信動作状態(ＯＮ／ＯＦＦ)が切替されない設定と判定された場合は、ステップＤ１４に遷移する。
【０１３５】
このとき、無線切替制御部１１２は、無線部１０９における保持設定を解除すると共に、無線部１０９の保持非保持設定を、無線通信機能の動作状態を切り替え可能な非保持設定へと変換する(ステップＤ１４)。
ここで、中央制御部１２０が、通信部１０９が非保持設定へと設定変換されたことをＬＥＤドライバ１０３に通知する。この通知を受け、中央制御部１２０は、ＬＥＤドライバ１０３を介してＬＥＤ１０４を点灯させる(ステップＤ１６へ)。
【０１３６】
一方、ステップＤ１３で、無線部１０９における無線通信機能の動作状態である、通信稼動状態(ＯＮ)と通信休止状態(ＯＦＦ)とが、一方の状態から他方の状態へと切替可能な設定(非保持設定)である場合、無線切替制御部１１２は、この非保持設定を、無線部１０９の動作状態が切替え不可の設定(保持設定)へと変換する(ステップＤ１５)。
【０１３７】
これにより、本実施形態４では、携帯電話１０のフリップ(開閉部分)を、ユーザ(使用者)が閉じることにより、無線部１０９が、使用者からの要求に応じて、無線部１０９の無線通信機能の動作状態切替えを行うか否かを指定することができる。
このため、携帯電話１０を保持する使用者が、例えば、無線通信に適さない場所にいる場合に、無線部１０９の無線通信機能の動作状態切替を行わない設定(保持設定)としておくことにより、誤って携帯電話１０に対して振動を与えられた場合でも、無線通信機能を通信休止状態にしておくことができる。
【０１３８】
以上のように、本実施形態４では、例えば、携帯電話１０のフリップ(開閉部分)を閉じた状態で、携帯電話１０に対して振動を与えることにより、実施形態２と同様に、無線部１０９を保持設定に設定することができる。このため、携帯電話１０に与えられた振動により、誤って無線通信機能のＯＮ／ＯＦＦが切替えられることを抑制することができる。
更には、携帯電話１０のフリップ(開閉部分)を開いた状態で、携帯電話１０に対して振動を与えることにより、無線部１０９を非保持設定に設定することができる。
これにより、例えば、無線通信を行うのに適した環境で、ユーザは任意に携帯電話の無線通信状態(ＯＮ／ＯＦＦ)、および第三者通信の相互切替を、非常に簡易な手順で行うことができる。
【産業上の利用可能性】
【０１３９】
本発明は、端末本体における振動を検知可能な携帯端末、ノートパソコン、ＰＤＡ等に適用することができる。
【図面の簡単な説明】
【０１４０】
【図１】本発明による無線通信装置の一実施形態の内部構成を示す概略ブロック図である。
【図２】図１に開示した無線通信装置の全体的な動作を示すフローチャートである。
【図３】本発明による無線通信装置の一実施形態の内部構成を示す概略ブロック図である。
【図４】図３に開示した無線通信装置の全体的な動作を示すフローチャートである。
【図５】本発明による無線通信装置の一実施形態の内部構成を示す概略ブロック図である。
【図６】図５に開示した無線通信装置の全体的な動作を示すフローチャートである。
【図７】本発明による無線通信装置の一実施形態の内部構成を示す概略ブロック図である。
【図８】図７に開示した無線通信装置の全体的な動作を示すフローチャートである。
【図９】図１に開示した無線通信装置における無線部を自動的に起動する動作を示すフローチャートである。
【符号の説明】
【０１４１】
１０  携帯電話
１０１  フラッシュメモリ
１０２  ＲＡＭ
１０３  ＬＥＤドライバ
１０４  ＬＥＤ
１０５  正面ＬＣＤ
１０６  ＬＣＤドライバ
１０７  開閉検出スイッチ
１０８、１２２  アンテナ
１０９  通信部(無線通信部)
１１０  カウンタ
１１１  検出部Ｂ
１１２  加速度センサ(振動検出部)
１１３  検出部Ａ
１１４  無線切替制御部(無線動作制御部)
１１５  レシーバ
１１６  キースイッチ(入力キー)
１１７  スピーカ
１１８  報知用バイブレーション手段
１１９  マイク
１２０  中央制御部
１２１  第三者システム用無線回路
【図１】
2010124144.tif 000003
【図２】
2010124144.tif 000004
【図３】
2010124144.tif 000005
【図４】
2010124144.tif 000006
【図５】
2010124144.tif 000007
【図６】
2010124144.tif 000008
【図７】
2010124144.tif 000009
【図８】
2010124144.tif 000010
【図９】
2010124144.tif 000011